(57)【特許請求の範囲】
【請求項１】
第１の基板の一方主面に送信用導光路が形成され、第２の基板の一方主面に受信用導光路が形成されており、第１の基板と第２の基板とが積層一体化され、前記送信用導光路及び前記受信用導光路の一方の端面がこれらに接続する1本の光ファイバのコア端面に結合するように配置された光学素子において、
前記光学素子の前記第１の基板と前記第２の基板の積層方向から平面視した場合、
前記受信用導光路は前記光ファイバ結合端面における光軸と前記光ファイバ結合端面に対向する他方端面における光軸がずれており、
前記光ファイバ結合端面に対向する他方端面における前記受信用導光路の端面から見て前記光ファイバ結合端面の光軸がある側の前記受信用導光路の側面は、前記光ファイバから入射した全ての光を最初に全反射させ前記他方端面に出射するような、少なくとも１つの曲線から形成され、
前記曲線は前記受信用導光路の光軸に対して外側に湾曲していることを特徴とする光学素子。
【請求項２】
前記送信用導光路が直線状に形成されていることを特徴とする、請求項１に記載の光学素子。
【請求項３】
前記受信用導光路の光の伝搬方向に対して外側の側面が前記送信用導光路よりも外側に張り出していることを特徴とする、請求項２に記載の光学素子。
【請求項４】
前記受信用導光路の光の伝搬方向に対して内側の側面は、前記外側の側面で全反射した光をさらに全反射させる別の曲線を有していることを特徴とする、請求項１に記載の光学素子。
【請求項５】
前記内側の側面は、前記別の曲線と直線部分から構成されており、前記直線部分は前記光ファイバの光軸に対して、前記光ファイバから出射された光が直接入射しない角度で傾斜していることを特徴とする、請求項４に記載の光学素子。
【請求項６】
前記送信用導光路は、光ファイバとの接続方向と平行になっていることを特徴とする、請求項１に記載の光学素子。
【請求項７】
前記光ファイバ結合端面において、前記受信用導光路の湾曲方向と垂直な方向で、前記送信用導光路の端部と前記受信用導光路の端部とを重ね合わせたことを特徴とする、請求項１に記載の光学素子。
【請求項８】
前記送信用導光路に、該送信用導光路に入射された光を該送信用導光路の光軸と平行な方向に制御する光線制御手段を設けたことを特徴とする、請求項１に記載の光学素子。
【請求項９】
請求項１ないし８に記載した光学素子と、前記送信用導光路の端面に対向させて配置された投光素子と、前記受信用導光路の端面に対向させて配置された受光素子とを備えたことを特徴とする光トランシーバ。
【請求項１０】
請求項７に記載した光学素子を備え、前記送信用導光路の端部と前記受信用導光路の端部が重ね合わせられた箇所に対向させて前記光学素子に光ファイバを接続されたことを特徴とするコネクタ。
【請求項１１】
請求項７に記載した光学素子を備え、前記送信用導光路の端部と前記受信用導光路の端部が重ね合わせられた箇所に対向させて前記光学素子に第１の光ファイバを接続され、前記送信用導波路の他方端部に対向させて第２の光ファイバを接続され、前記受信用導波路の他方端部に対向させて第３の光ファイバを接続され、少なくとも前記光学素子を封止した被覆部に２芯接続コードとの接続部を設けたことを特徴とする２芯／１芯変換アダプタ。
【発明の詳細な説明】
【０００１】
【発明の属する技術分野】
本発明は、送信用導光路と受信用導光路を備えた光学素子に関する。さらに、本発明は、光ファイバとの間で双方向に光信号を送受信する光トランシーバ、コネクタその他の光学装置に関する。
【０００２】
【背景技術】
近年、高速、大容量の通信網や通信制御機器等の発達により光ファイバによる通信が主流となってきており、例えば各家庭に設置された情報家電等の端末にも光ファイバによりインターネット等の通信網を接続して信号の送受信を行う必要がある。また、家庭に設置されているパソコンとテレビ、ＤＶＤ、ゲーム機などを相互に接続する場合にも光ファイバが用いられつつある。そのため、情報家電等にも用いることができるような、安価で、小型で、効率の良好な光トランシーバが必要とされる。
【０００３】
このような光トランシーバとしては、例えば特開平１１−１８３７４３号公報に開示された１芯双方向光トランシーバがある。図１はこの光トランシーバ１の構造を示す水平断面図であって、基板２に受信用導光路３と送信用導光路４が設けられている。受信用導光路３は、基板２の一方端面から他方端面にかけて直線状に形成されており、一方端面に対向させて受光素子５が配置され、他方端面に光ファイバ７の端面が結合される。受信用導光路３は、光ファイバから出た光を結合させ、その光を受光素子５側へ導光して受光素子５へ導くために、光ファイバ７側で導光路径が大きく、受光素子５側で導光路径の小さなテーパー状に形成されている。また、受光素子５に隣接させて投光素子６が配置されており、送信用導光路４は投光素子６に対向する位置から出発し、斜め方向へ向けて直線状に延び、受信用導光路３の光ファイバ側の端部に一体に接続されている。この送信用導光路４は半導体レーザー等の投光素子６からの光を結合させて、光ファイバ７側へ導光するものであるので、受信用導光路３に比較して導光路径は小さくなっている。
【０００４】
従来の光トランシーバでは、投光素子や受光素子の外形寸法が光ファイバの断面寸法に対して十分に小さくない場合には、送信用導光路と受信用導光路を平行に構成することができず、受信用導光路と送信用導光路の双方、もしくはいずれか一方を光ファイバ７に対して斜めに傾ける必要がある。そのため、図１の光トランシーバ１では、送信用導光路４を斜めに傾けている。
【０００５】
このように、光トランシーバ１では、送信用導光路４を斜めに傾けて設けているので、投光素子６から出射された光が送信用導光路４を導光して光ファイバ７に入射するとき、光ファイバ７の光軸に対して傾いた方向から入射し、一部光ファイバ７のＮＡ（開口数）から外れる光が発生する。ＮＡ外の光は、いったん光ファイバ内に入っても光ファイバの外へ抜けてしまうので、光ファイバ７に結合されずロスとなる。
【０００６】
たとえば、光トランシーバ１の送信用導光路４から出射される光の、出射光軸の方向を基準にした出射光の光強度分布が図２（ａ）のように光ファイバのＮＡの範囲に納まっていたとしても、光トランシーバ１から出射される光が光ファイバ７の光軸から傾いていると、図２（ａ）の光強度分布を光ファイバ７の光軸を基準とした角度から見ると、図２（ｂ）のように光強度分布がずれてしまい、光ファイバ７のＮＡの範囲から外れた部分の光（図２（ｂ）で斜線を施した領域の光）はロスになる。
【０００７】
また、送信用導光路４の先端が受信用導光路３の先端部に対して斜めに接続されているので、送信用導光路４が屈曲しており、屈曲箇所におけるロスも発生していた。
【０００８】
【発明の開示】
本発明の目的とするところは、光トランシーバもしくは光学素子において、送信用導光路から出射された光を効率よく光ファイバに結合させ、光ファイバとの結合ロスを小さくすることにある。また、本発明は、送信用導光路から出射された光が光ファイバのＮＡ外に外れてロスになりにくくすることにある。
【０００９】
本発明にかかる光学素子は、第１の基板の一方主面に送信用導光路が形成され、第２の基板の一方主面に受信用導光路が形成されており、第１の基板と第２の基板とが積層一体化され、前記送信用導光路及び前記受信用導光路の一方の端面がこれらに接続する1本の光ファイバのコア端面に結合するように配置された光学素子において、前記光学素子の前記第１の基板と前記第２の基板の積層方向から平面視した場合、前記受信用導光路は前記光ファイバ結合端面における光軸と前記光ファイバ結合端面に対向する他方端面における光軸がずれており、前記光ファイバ結合端面に対向する他方端面における前記受信用導光路の端面から見て前記光ファイバ結合端面の光軸がある側の前記受信用導光路の側面は、前記光ファイバから入射した全ての光を最初に全反射させ前記他方端面に出射するような、少なくとも１つの曲線から形成され、前記曲線は前記受信用導光路の光軸に対して外側に湾曲していることを特徴としている。
【００１０】
本発明の光学素子においては、受光素子等を配置された受光側では一般的に受光視野が広く、光ファイバのＮＡのように受光する角度が限定されることがないので、受信用導光路は直線状である必要はなくて、全反射により光を導光させることができればよい。従って、受信用導光路を緩やかに湾曲させることにより、送信用導光路と受信用導光路どうし、あるいは投光素子等の投光側と受光素子等の受光側どうしの干渉を避けながら、かつ光のロスを抑えながら受光側に光を結合させることができる。
【００１１】
従って、本発明の光学素子によれば、投光素子や受光素子等によって構成された投受光側が光ファイバに比べて十分に小さくない場合でも、本発明によれば、光利用効率が高く、伝搬距離が長く、信号のＳ／Ｎ比が良好な光学素子を実現することが可能になる。
【００１２】
本発明にかかる光学素子の実施態様によれば、前記送信用導光路が直線状に形成されているので、送信用導光路の屈曲部分におけるロスが無くなる。また、本発明にかかる別な実施態様によれば、前記受信用導光路の光の伝搬方向に対して外側の側面が前記送信用導光路よりも外側に張り出している。
【００１３】
本発明にかかる光学素子のさらに別な実施態様によれば、前記受信用導光路の光の伝搬方向に対して内側の側面は、前記外側の側面で全反射した光をさらに全反射させる別の曲線を有している。
【００１４】
また、本発明にかかる光学素子のさらに別な実施態様によれば、前記内側の側面が、前記別の曲線と直線部分から構成されており、前記直線部分は前記光ファイバの光軸に対して、前記光ファイバから出射された光が直接入射しない角度で傾斜している。
【００１５】
本発明にかかる光学素子のさらに別な実施態様によれば、前記送信用導光路は、光ファイバとの接続方向と平行になっているので、送信用導光路から出射された光が光ファイバのＮＡ外にはずれにくくなり、より一層光のロスを少なくすることができる。
【００１６】
また、本発明にかかる光学素子のさらに別な実施態様によれば、前記光ファイバ結合端面において、前記受信用導光路の湾曲方向と垂直な方向で、前記送信用導光路の端部と前記受信用導光路の端部とをを重ね合わせているので、受信用導光路の端部と送信用導光路の端部とが重なり合った領域に入射した光は受信用導光路を通じて受信用導光路の他方端面へ出射され、送信用導光路の他方端面に入射した光は送信用導光路を通じて受信用導光路の端部と送信用導光路の端部とが重なり合った領域へ出射される。従って、この実施態様によれば、送信用の光と受信用の光を１芯の光ファイバなどで伝送することが可能になる。さらに、この光学素子によれば、送信用導光路と受信用導光路は、互いに他方の導光路に制約を受けることなく設計でき、自由に光を制御することができる。よって、光のロスやクロストークが小さくなるように設計することが可能になる。
【００１７】
また、本発明にかかる光学素子のさらに別な実施態様によれば、前記送信用導光路に、該送信用導光路に入射された光を該送信用導光路の光軸と平行な方向に制御する光線制御手段を設けているので、送信用導光部から出射される光が光ファイバのＮＡ内の光となるように制御することができ、光のロスをより小さくできる。
【００１８】
本発明の光トランシーバは、本発明にかかる光学素子と、前記送信用導光路の端面に対向させて配置された投光素子と、前記受信用導光路の端面に対向させて配置された受光素子とを備えている。
【００１９】
本発明の光トランシーバによれば、投光素子から出た光を送信する送信用導光路が直線状になっているので、送信ロスが無くなる。一方、受光素子によって光を受光させるための受信用導光路が緩やかに湾曲しているので、送信用導光路と受信用導光路どうし、あるいは投光素子と受光素子どうしの干渉を避けながら、かつ光のロスを抑えながら受光素子に光を結合させることができる。
【００２０】
従って、投光素子や受光素子が光ファイバに比べて十分に小さくない場合でも、本発明によれば、光利用効率が高く、伝搬距離が長く、信号のＳ／Ｎ比が良好な光学素子を実現することが可能になる。
【００２１】
本発明のコネクタは、送信用導光路の一端と受信用導光路の一端とを重ね合わせた本発明にかかる光学素子を備え、前記送信用導光路の端部と前記受信用導光路の端部が重ね合わせられた箇所に対向させて前記光学素子に光ファイバを接続されたことを特徴としている。
【００２２】
本発明のコネクタによれば、送信用導光路と受信用導光路の他端を光トランシーバ等のコネクタと接続し、その送信信号と受信信号とを１芯の光ファイバ（第１の光ファイバ）により伝送することができる。
【００２３】
本発明の２芯／１芯変換アダプタは、送信用導光路の一端と受信用導光路の一端とを重ね合わせた本発明にかかる光学素子を備え、前記送信用導光路の端部と前記受信用導光路の端部が重ね合わせられた箇所に対向させて前記光学素子に第１の光ファイバを接続され、前記送信用導波路の他方端部に対向させて第２の光ファイバを接続され、前記受信用導波路の他方端部に対向させて第３の光ファイバを接続され、少なくとも前記光学素子を封止した被覆部に２芯接続コードとの接続部を設けたことを特徴としている。
【００２４】
本発明の２芯／１芯変換アダプタによれば、第２及び第３の光ファイバを２芯コードに接続すると共に第１の光ファイバを１芯コードに接続して２芯コードと１芯コードとを接続でき、２芯コードを１芯コードに変換することができる。
【００２５】
しかして、上記の光トランシーバやコネクタ、２芯／１芯変換アダプタにより、１芯の光ファイバにより送受双方向の光を伝送できるようになれば、光ファイバコストを安価にすることができると共に光ファイバの嵩を小さくして取り扱いを容易にできる。
【００２６】
なお、この発明の以上説明した構成要素は、可能な限り任意に組み合わせることができる。
【００２７】
【発明の実施の形態】
（第１の実施形態）
図３は本発明の一実施形態による光トランシーバ２１Ａの斜視図、図４はトランシーバ２１に用いられている光導波回路２１の分解斜視図である。この光導波回路２１は、受信側基板２２、クラッド層２３、送信側基板２４からなり、クラッド層２３を挟んで上下から受信側基板２２及び送信側基板２４が接合一体化されている。
【００２８】
受信側基板２２は、透明な樹脂（例えばＰＭＭＡ；屈折率１.４９）によって形成されており、その上面には両側縁が直線と曲線によって構成された溝２５が設けられ、その溝２５内には基板材料である透明樹脂よりも屈折率の高い透明樹脂（コア材料；屈折率１.６）を充填して受信用導光路２６が形成されている。また、送信側基板２４も、透明な樹脂（例えばＰＭＭＡ；屈折率１.４９）によって形成されており、その下面にはテーパー状の溝２７が設けられ、その溝２７内には基板材料である透明樹脂よりも屈折率の高い透明樹脂（コア材料；屈折率１.６）を充填して送信用導光路２８が形成されている。クラッド層２３は、紫外線硬化樹脂等によって形成された薄膜（屈折率１.３６）であり、受信用導光路２６及び送信用導光路２８の屈折率よりも小さな屈折率を有している。クラッド層２３はできるだけ薄くしておくことが望ましい。
【００２９】
受信側基板２２、クラッド層２３、送信側基板２４は、受信側基板２２と送信側基板２４をクラッド層２３で接着することによって積層一体化されており、受信用導光路２６及び送信用導光路２８がクラッド層２３で覆われている。
【００３０】
光トランシーバ２１Ａとしては、図３に示したように、光導波回路２１の一方端面に光ファイバ２９が接続され、他方端面に投光素子３０及び受光素子３１が配設される。例えば、このような光トランシーバ２１Ａが情報家電等の機器に用いられる場合には、投光素子３０、受光素子３１及び光導波回路２１は予め情報家電等の機器の内部に取り付けられ、情報家電等の機器に設けられたコネクタに光ファイバ２９の一端を接続すると共に光ファイバ２９の他端を光導波回路２１の光ファイバ結合側の端面に結合され、光ファイバ２９を介して光トランシーバ２１Ａとコネクタが接続される。
【００３１】
光導波回路２１の光ファイバ結合側端面においては、図５（ｂ）に示すように、送信用導光路２８の端面と受信用導光路２６の端面とがクラッド層２３を挟んで上下に対向している。光ファイバ結合側の端面においては、送信用導光路２８の端面寸法は光ファイバ２９の端面寸法（コア径）よりも面積が小さく、光ファイバ２９の端面内に納まるように配置されているので、送信用導光路２８から出射された光は高い効率で光ファイバ２９に入射される。また、クラッド層２３よりも下の領域においては、受信用導光路２６の端面寸法は光ファイバ２９の端面寸法よりも大きくなっており、光ファイバ２９の端面はすべて受信用導光路２６の端面内に納まるようになっているので、光ファイバ２９から出射された光は高い効率で受信用導光路２６内に取り込まれる。
【００３２】
送信用導光路２８は直線状をしており、受信用導光路２６は湾曲しているので、投光素子３０及び受光素子３１が配置される側の端面（以下、投受光側端面という。）では、受信用導光路２６の端面と送信用導光路２８の端面とは左右に分かれている。図５（ａ）に示すように、送信用導光路２８の端面には投光素子３０が対向しており、受信用導光路２６の端面には受光素子３１が対向している。送信用導光路２８はテーパー状をしていて、周囲は送信用導光路２８よりも低屈折率の送信側基板２４及びクラッド層２３によって囲まれている。送信用導光路２８は、光ファイバ結合側端面における端面面積よりも投受光側端面における端面面積の方が大きくなっており、投光素子３０から出射した光を広い面積で捕らえて光ファイバ結合側端面へ伝え、できるだけロスのないように小さい面積から光を出射させて光ファイバ２９のコアに入射させるようにしている。その結果、送信用導光路２８は光利用効率がほぼ１００％となっている。また、受信用導光路２６は、周囲を受信用導光路２６よりも低屈折率の受信側基板２２及びクラッド層２３によって囲まれており、光ファイバ結合側端面で大きな端面寸法を持ち、投受光側端面では小さな端面寸法となっており、光ファイバから出射された光を効率的に捕らえて受光素子３１へ導く。その結果、受信用導光路２６は光利用効率がほぼ１００％となっている。
【００３３】
しかして、この光トランシーバ２１Ａにあっては、受信側基板２２と送信側基板２４の間はクラッド層２３によって分離されているので、受信側基板２２を伝播する光と送信側基板２４を伝わる光との干渉が無い。又、光ファイバ側結合端面においても、受信側基板２２と送信側基板２４はクラッド層２３で仕切られているので、送信用導光路２８から出射された光が光ファイバ２９の端面で反射されても受信用導光路２６に入射しにくく、受信用導光路２６と送信用導光路２８との間でのクロストークを防止することができる。
【００３４】
また、この光導波回路２１では、図６にＣ−Ｃ線で示すように、光ファイバ側結合端面においては、受信用導光路２６の中心軸と送信用導光路２８の中心軸とは一致している。このため、光ファイバ２９の接続位置が、図６に実線で示す標準位置から外れて図６に１点鎖線や２点鎖線で示す位置にずれても、光ファイバ２９と送信用導光路２８の重なり面積や光ファイバ２９と受信用導光路２６の重なり面積は変わらない。よって、このような構造によれば、光ファイバ２９の結合位置のばらつきに対する許容度が大きくなり、光ファイバ２９の結合位置のばらつきに強くなる。
【００３５】
次に、受信用導光路２６及び送信用導光路２８について詳細に説明する。送信用導光路２８は、投受光側端面から光ファイバ側結合端面に向けて直線状にまっすぐに延びており、投光素子３０側で断面積が大きく、光ファイバ２９側で断面積が小さくなるようにテーパー形状となっている。さらに、受信用導光路２６は軸心方向は光ファイバ２９の接続方向もしくは光ファイバ２９の光軸方向と平行となるように形成されている。しかして、図７に示すように、投光素子３０から出射された光は、送信用導光路２８の端面に結合して送信用導光路２８内に入り、送信用導光路２８内で全反射を繰り返しながら光ファイバ２９側へ進む。送信用導光路２８は直線状となっていて、光ファイバ２９の光軸と平行になっているから、送信用導光路２８の端面から出射された光は、ほぼ光ファイバ２９のＮＡの範囲内の光として光ファイバ２９に入射する。よって、送信用導光路２８からして光ファイバ２９に入る際、光のロスが小さく抑えられる。
【００３６】
受信用導光路２６は、図８に示すように、受信側基板２２と平行な面内で、光ファイバ側結合端面の一方側部と投受光側端面の他方側部との間で湾曲している。受信用導光路２６の側面は平面視で見ると、直線と曲線によって構成されており、受信用導光路２６の光ファイバ側における端面は比較的大きな面積を有しており、受光素子３１側における端面は比較的小さな面積を有している。しかして、光ファイバ２９から受信用導光路２６内に入射した光は、受信用導光路２６の側面で１回ないし複数回の全反射をしながら受光素子３１側へ導光されて小さな面積の端面に集められる。そして、受光素子３１側の端面から出た光は、受光素子３１により受光される。なお、受信用導光路２６の側面のうち、直線部分ａには光はほとんど入射せず、直線部分と連続している曲線部分ｂには１回反射光は存在していない。
【００３７】
光ファイバ側結合端面においては、受信用導光路２６の端面と送信用導光路２８の端面は、図５（ｂ）に示したように、光導波回路２１の積層方向で重なり合っている。そして、受信用導光路２６は、光導波回路２１の積層方向と垂直な平面内で湾曲しているので、光導波回路２１の投受光側端面においては、受信用導光路２６の端面と送信用導光路２８の端面とはほぼ水平方向に並んでいる。よって、この光導波回路２１では、受信用導光路２６と送信用導光路２８とは、光ファイバ側結合端面では縦に並び、投受光側端面ではほぼ左右に並び、いわばツイスト構造となっている。
【００３８】
図９（ａ）（ｂ）は、受信用導光路２６の端部と送信用導光路２８の端部が横に並んでいる場合と、縦に積層されている場合を比較して示している。受信用導光路２６と送信用導光路２８は光ファイバ２９に結合させる必要があるので、光ファイバ側結合端面で離して配置することができない。そのため、図９（ａ）のように受信用導光路２６と送信用導光路２８とが同一平面に設けられている場合には、受信用導光路２６と送信用導光路２８の設計には互いに制約を受けることになり、光を閉じ込めることが困難になる。これに対し、図９（ｂ）のように受信用導光路２６と送信用導光路２８が異なる平面にあれば、他の導光路に制約されることなく受信用導光路２６や送信用導光路２８を設計でき、自由に光を制御することができる。そのため投光素子３０や受光素子３１の間における光ビームの拡がりを導光路２６、２８の厚み方向に閉じ込めることができ、クロストークの低減に効果を発揮する。
【００３９】
（第２の実施形態）
図１０は本発明の別な実施形態を示す概略断面図である。この光導波回路にあっては、送信用導光路２８の光ファイバ側結合端面の近傍で、送信用導光路２８の上面（導光路２６から遠い側の面）を傾斜させ、光ファイバ側ほど送信用導光路２８の断面積がおおきくなるようにしている。このように送信用導光路２８の端部において光ファイバ２９側が広がるようにしていると、この領域において送信用導光路２８の上面で全反射された光は、光ファイバ２９の光軸とほぼ平行に揃えられ、光ファイバ２９の端面で反射されることなく、光ファイバ２９に結合し易くなる。よって、光のロスが少なくなる。また、光ファイバ２９の端面で反射された光が導光路２６に入射しにくくなるので、クロストークも低減される。なお、導光路２６に近い側の面も傾斜させてもよい。
【００４０】
また、図１１の実施形態では、投光素子３０側から光ファイバ２９側へ行くに従って、送信用導光路２８の断面が次第に小さくなるよう、送信用導光路２８の上面を傾斜させ（下面も傾斜させてもよい。）、送信用導光路２８の断面最小の位置を超えると、再び送信用導光路２８の断面が次第に大きくなるよう送信用導光路２８の上面を逆傾斜させている（下面も逆傾斜させてもよい。）。ここで、送信用導光路２８の最小断面の箇所は、光のロスが発生しない範囲でできるだけ細くしておくことが好ましい。この実施形態によれば、送信用導光路２８で投光素子３０の光を細く絞っておいて最後に出射する光の方向を光ファイバ２９の光軸に近づけ、光のロスとクロストークを低減させることができる。
【００４１】
あるいは、投光素子３０から送信用導光路２８に入射される光のＮＡが十分に小さい場合には、図１２に示すように、全長にわたって送信用導光路２８の上面を傾斜させ、光ファイバ２９側に近づくにつれて送信用導光路２８の断面積が大きくなっていくようにしてもよい。
【００４２】
（第３の実施形態）
図１３に示すものは本発明のさらに別な実施形態による光トランシーバ３６の斜視図である。この実施形態にあっては、投光素子３０の近傍において送信用導光路２８に光線制御部３２を設けている。光線制御部３２は、両側に設けられた凹面反射部３３と、空洞３４の縁に形成された凸レンズ部３５とからなっている。しかして、投光素子３０から送信用導光路２８に広い角度で入射した光は凹面反射部３３で全反射されて平行に近い光線に揃えられ、中央部へ出射された光も凸レンズ部３５によって略平行光に揃えられる。よって、送信用導光路２８から出射される光は、光ファイバ２９のＮＡ内の光となって光ファイバ２９に結合され、光のロスをきわめて小さくできる。特に、このような実施形態は、半導体レーザー（ＬＤ）や発光ダイオード（ＬＥＤ）等の長軸方向のビームのように比較的広い角度に広がる投光素子３０を用いる場合に有効である。
【００４３】
（第４の実施形態）
図１５は本発明にかかる光導波回路２１を用いたコネクタ３７の斜視図、図１６はその断面図である。ここに示したコネクタ３７にあっては、例えば第１の実施形態（図３〜図８）で説明したような光導波回路２１を用いている。すなわち、光導波回路２１内の送信用導光路２８は、テーパー状に形成されており、送信用導光路２８の面積が小さな側の端面と受信用導光路２６の一方端面とがクラッド層２３を介して積層方向で重ね合わせられている。この送信用導光路２８と受信用導光路２６が重ね合わせられた側において、光導波回路２１には１本のファイバ伝送線３８が接続されている。ファイバ伝送線３８は、プラスチック製の光ファイバ３９を被覆４２により覆ったものであり、被覆４２を剥がして露出させた光ファイバ３９の先端面が送信用導光路２８及び受信用導光路２６の端面に突き合わせられている（図５（ｂ）参照）。
【００４４】
また、送信用導光路２８の面積が大きな側の端面には、当該端面よりも断面積が小さな光ファイバ４０の端面が接続され、受信用導光路２６の他方端面には、当該端面よりも断面積が大きな光ファイバ４１の端面が接続されている。光ファイバ４０及び４１の外周面は、スリーブ材４３によって被覆されており、光ファイバ４０及び４１の端面はスリーブ材４３から露出している。また、スリーブ材４３には凹部４４が設けられており、光導波回路２１の端部を当該凹部４４にはめ込むことによってスリーブ材４３、ひいては光ファイバ４０及び４１の端部を光導波回路２１に対して位置決めしている。
【００４５】
さらに、光導波回路２１、ファイバ伝送線３８の先端部、スリーブ材４３の一部は樹脂被覆部４５によって覆われており、樹脂被覆部４５の先端面からはスリーブ材４３の先端部が突出し、その先端には光ファイバ４０及び４１の端面が露出している。また、樹脂被覆部４５の先端部には、対応するコネクタと機械的に嵌合させるための嵌合部４６が設けられている。
【００４６】
図１７は上記コネクタ３７を１芯のファイバ伝送線３８の両端に設けた接続コード（ケーブル）４７を表わしている。この接続コード４７は、２つの個別の機器に設けられた光トランシーバ４８、４９間を接続するために用いられており、一方のコネクタ３７（Ａ）を光トランシーバ４８（もしくは、光トランシーバ４８が設けられている機器）に設けられたコネクタ（図示せず）に接続し、他方のコネクタ３７（Ｂ）を光トランシーバ４９に設けられたコネクタ（図示せず）に接続している。しかして、光トランシーバ４８の投光素子５０から送信された光信号はコネクタ３７（Ａ）によってファイバ伝送線３８に結合され、ファイバ伝送線３８内を伝搬してコネクタ３７（Ｂ）に達し、コネクタ３７（Ｂ）から光トランシーバ４９の受光素子５３に受光される。逆に、光トランシーバ４９の投光素子５２から送信された光信号はコネクタ３７（Ｂ）によってファイバ伝送線３８に結合され、ファイバ伝送線３８内を伝搬してコネクタ３７（Ａ）に達し、コネクタ３７（Ａ）から光トランシーバ４８の受光素子５１に受光される。
【００４７】
従来のコネクタ５４にあっては、図１８（ｂ）に示すように、２本のファイバ伝送線５５の被覆を剥がして光ファイバ５６の先端を露出させ、両光ファイバ５６の先端部をスリーブ材５７で覆い、さらに樹脂被覆部５８で覆っている。そして、図１８（ａ）に示すように、このコネクタ５４を２本のファイバ伝送線５５の両端に設けた２芯の接続コード５９で光トランシーバ４８、４９間を接続している。すなわち、一方のファイバ伝送線５５で光トランシーバ４８の投光素子５０と光トランシーバ４９の受光素子５３を直接に接続し、他方のファイバ伝送線５５で光トランシーバ４９の投光素子５２と光トランシーバ４８の受光素子５１を直接に接続している。
【００４８】
従って、投光素子と受光素子を有する光トランシーバ４８、４９どうしを接続する場合、従来の方法では、２芯の接続コード５９を必要とするのに対し、本発明のコネクタ３７を用いれば、１芯のファイバ伝送線３８によって接続することができるので、接続コード４７のコストを安価にすることができる。また、不要時に巻き取って保管しておく場合でも嵩張らない。
【００４９】
なお、上記光トランシーバ４８、４９において、投光素子及び受光素子とコネクタとの間が２本の光ファイバによりそれぞれ結ばれている場合には、このコネクタ３７は２芯／１芯変換アダプタにもなっている。
【００５０】
図１９は、１芯のファイバ伝送線３８の一端に上記のようなコネクタ３７を設け、他端に光トランシーバ６１（例えば、図３に示したような光トランシーバ）を設けた接続コード６０を示している。このような構成にすれば、ファイバ伝送線３８の一方でコネクタ３７が不要となり、コストをより安価にできる。しかも、一方のコネクタ３７を光トランシーバ４９に接続することにより、光トランシーバ６１の投光素子６２及び受光素子６３と光トランシーバ４９の受光素子５３及び投光素子５２との間で双方向通信を行なうことができ、また、コネクタ３７を光トランシーバ４９から外すことによって光トランシーバ６１、４９どうしを切り離すこともできる。
【００５１】
（第５の実施形態）
図２０は２芯の接続コード５９を１芯の接続コードにつなぐための２芯／１芯変換アダプタ６４を一端に設けた１芯の接続コード６５を示している。２芯接続コード５９の端に設けられているコネクタ５４は、図１８（ｂ）に示したものと同じものである。１芯接続コード６５の端に設けられている２芯／１芯変換アダプタ６４は、図１６に示したコネクタとほぼ同様な構造を有しているが、コネクタ５４と接続するため、コネクタ５４の先端部を挿入させるための凹部６６と光ファイバ５６の先端を挿入させるための孔６７を備えており、コネクタ５４を凹部６６に挿入してコネクタ５４と２芯／１芯変換アダプタ６４とを接続したときにコネクタ５４の光ファイバ５６の先端面と２芯／１芯変換アダプタ６４の光ファイバ４０、４１の先端面とが突き合わされるようになっている。
【００５２】
よって、このような２芯／１芯変換アダプタ６４を用いることにより、２芯の接続コード５９を１芯の接続コード６５に変換して、１芯の接続コード６５によって光信号を双方向通信させることができる。
【００５３】
なお、上記コネクタや２芯／１芯変換アダプタにおいては、光ファイバ４０、４１は無くてもよい。コネクタや２芯／１芯変換アダプタに光ファイバ４０、４１の代わりに投光素子や受光素子を配置してもよく、あるいは、光ファイバ４０、４１の代わりに相手側コネクタ等の光ファイバが光導波回路の端面に突き合わされるようにしてもよい。
【００５４】
【発明の効果】
本発明の光導波回路及び当該光導波回路を用いた光導波回路や光トランシーバによれば、送信用導光路における光のロスを低減することができる。また、送受信間におけるクロストークも低減することができる。
【図面の簡単な説明】
【図１】従来の光トランシーバの構造を示す概略水平断面図である。
【図２】（ａ）は送信用導光路から出射される光の光強度分布を示す図、（ｂ）は当該光強度分布を光ファイバから見たときの分布を示す図である。
【図３】本発明の一実施形態による光トランシーバを示す斜視図である。
【図４】同上の光トランシーバに用いられている光導波回路の分解斜視図である。
【図５】（ａ）は同上の光トランジスタの投受光側端面を示す図、（ｂ）は光ファイバ結合側端面を示す図である。
【図６】光ファイバ側結合端面における受信用導光路と送信用導光路の配置を示す図である。
【図７】送信用導光路とその内部を導光する光の光線図である。
【図８】受信用導光路とその内部を導光する光の光線図である。
【図９】（ａ）（ｂ）は、受信用導光路の端部と送信用導光路の端部が横に並んでいる場合と、縦に積層されている場合を比較して示す図である。
【図１０】本発明の別な実施形態を示す概略断面図である。
【図１１】本発明のさらに別な実施形態を示す概略断面図である。
【図１２】本発明のさらに別な実施形態を示す概略断面図である。
【図１３】図１３に示すものは本発明のさらに別な実施形態による光トランシーバの斜視図である。
【図１４】同上の光トランシーバに設けられた光線制御部を示す平面図である。
【図１５】本発明にかかる光導波回路を用いたコネクタの斜視図である。
【図１６】同上のコネクタの拡大断面図である。
【図１７】同上のコネクタを両端に備えた１芯の接続コードにより２つの機器の光トランシーバ間をつないだ様子を示す説明図である。
【図１８】（ａ）は２つの機器の光トランシーバ間をつなぐ従来の２芯接続コードの構成を示す概略図、（ｂ）は従来の接続コードに用いられているコネクタの断面図である。
【図１９】一端に光トランシーバを備え、他端にコネクタを備えた１芯の接続コードを示す概略図である。
【図２０】２芯／１芯変換アダプタを一端に備えた１芯接続コードを示す断面図である。
【符号の説明】
２１Ａ    光トランシーバ
２１      光導波回路
２２      受信側基板
２３      クラッド層
２４      送信側基板
２６      受信用導光路
２８      送信用導光路
２９      光ファイバ
３０      投光素子
３１      受光素子
３６      光トランシーバ
【図１】
0003879521.tif 000002
【図２】
0003879521.tif 000003
【図３】
0003879521.tif 000004
【図４】
0003879521.tif 000005
【図５】
0003879521.tif 000006
【図６】
0003879521.tif 000007
【図７】
0003879521.tif 000008
【図８】
0003879521.tif 000009
【図９】
0003879521.tif 000010
【図１０】
0003879521.tif 000011
【図１１】
0003879521.tif 000012
【図１２】
0003879521.tif 000013
【図１３】
0003879521.tif 000014
【図１４】
0003879521.tif 000015
【図１５】
0003879521.tif 000016
【図１６】
0003879521.tif 000017
【図１７】
0003879521.tif 000018
【図１８】
0003879521.tif 000019
【図１９】
0003879521.tif 000020
【図２０】
0003879521.tif 000021